(57)【要約】      （修正有）【課題】地図などの画像の表示を、使用者の意思通りに柔軟にかつ容易に操作することのできる表示装置を提供することを目的としている。【解決手段】画像を表示する画面９ｂと、画面９ｂへの複数の接触点を検知可能な接触検知手段と、複数の接触点のうち、少なくともいずれかの接触点の移動に基づいて、画像を回転させて表示させる表示制御手段とを装備する。【選択図】図１
2008209915.tif 000002
【特許請求の範囲】
【請求項１】
画像を表示する画面と、
該画面への複数の接触点を検知可能な接触検知手段と、
前記複数の接触点のうち、少なくともいずれかの接触点の移動に基づいて、画像を回転
させて表示させる表示制御手段とを備えていることを特徴とする表示装置。
【請求項２】
地図を表示する画面と、
該画面への複数の接触点を検知可能な接触検知手段と、
前記複数の接触点のうち、少なくともいずれかの接触点の移動に基づいて、地図を回転
させて表示させる表示制御手段とを備えていることを特徴とする表示装置。
【請求項３】
画像を表示する画面と、
該画面への複数の接触点を検知可能な接触検知手段と、
前記接触点の移動を認識可能な認識手段と、
前記複数の接触点のうち、１つの接触点を中心として他方の接触点が回転移動したと認
識された場合、前記回転の方向に画像を回転させて表示させる表示制御手段とを備えてい
ることを特徴とする表示装置。
【請求項４】
地図を表示する画面と、
該画面への複数の接触点を検知可能な接触検知手段と、
前記接触点の移動を認識可能な認識手段と、
前記複数の接触点のうち、１つの接触点を中心として他方の接触点が回転移動したと認
識された場合、前記回転の方向に地図を回転させて表示させる表示制御手段とを備えてい
ることを特徴とする表示装置。
【請求項５】
地図を表示する画面と、
該画面への複数の接触点を検知可能な接触検知手段と、
前記接触点の移動を認識可能な認識手段と、
前記複数の接触点が回転移動したと認識された場合、前記回転の方向に地図を回転させ
て表示させる表示制御手段とを備えていることを特徴とする表示装置。
【請求項６】
前記表示制御手段は、前記画面の中心を回転軸として、画像を回転させて表示させるこ
とを特徴とする請求項１記載の表示装置。
【発明の詳細な説明】
【技術分野】
【０００１】
本発明は表示装置に関し、より詳細には、特にナビゲーションシステムなどに採用され
、地図などの画像の縮尺変更操作などの操作性の向上が図られた表示装置に関する。
【背景技術】
【０００２】
ナビゲーションシステムには、通常、表示画面上に地図を表示し、その地図上に使用者
により入力された目的地、該目的地までの誘導ルート、自車の現在位置に対応する自車位
置マーク、及びそれまでの自車の走行軌跡等を重ねて表示する機能が装備されており、使
用者は、この表示画面を逐次参照することで、進路情報を得ることができ、その進路情報
に従うことで目的地に到達することができるようになっている。また、地図の表示につい
ては、縮尺を変更する機能が装備されており、自由に地図を拡大したり、縮小したりする
ことができるようにもなっている。
このように、ナビゲーションシステムにおいては、実に優れた機能が実現されている。
【０００３】
しかしながら、いくら優れた機能を実現することができたとしても、操作が煩雑であっ
たり、難しかったりとその操作性が悪ければ、その価値も半減してしまう。
ところで、ナビゲーションシステムの操作は、スイッチ操作やメニュー選択により行う
のが従来からの主流であり、メニュー選択については、ジョイスティックや、ディスプレ
イの表示画面上に重ねて設けられたタッチパネルの操作により行われるようになっている
。
【０００４】
タッチパネルの操作は、指で表示画面に触れるだけであるので、非常に使い勝手の良い
ヒューマンインターフェースを実現することができるが、従来のままでは、十分とは言え
ず、更なる改良が望まれている。
特に、ナビゲーションシステムに採用される表示画面は、パソコンなどの情報機器に採
用される表示画面と比較しても、あまり大きいものとは言えず、むしろ小さいため、タッ
チパネルの操作だからといっても、その操作性が優れているとは言えなかった。
【０００５】
また、ナビゲーションシステムの操作については、車両走行中に操作することや、また
信号待ちなどの一寸した合間に操作することが考えられるので、各使用者それぞれに適し
た設定となっていることも操作性向上の重要な要素となる。
【発明の開示】
【課題を解決するための手段及びその効果】
【０００６】
本発明は上記課題に鑑みなされたものであって、地図などの画像の表示を、使用者の意
思通りに柔軟にかつ容易に操作することのできる表示装置を提供することを目的としてい
る。
【０００７】
上記目的を達成するために本発明に係る表示装置（１）は、画像を表示する画面と、該
画面への複数の接触点を検知可能な接触検知手段と、前記複数の接触点のうち、少なくと
もいずれかの接触点の移動に基づいて、画像を回転させて表示させる表示制御手段とを備
えていることを特徴としている。
【０００８】
上記表示装置（１）によれば、前記画面への複数の接触点のうち、少なくともいずれか
の接触点に基づいて、画像が回転させて表示される。例えば、前記画面に触れた指のいず
れかで円が描かれると、画像を回転させる。従って、使用者に使い勝手の良い、画像表示
の可能な装置を実現することができる。
【０００９】
また、本発明に係る表示装置（２）は、地図を表示する画面と、該画面への複数の接触
点を検知可能な接触検知手段と、前記複数の接触点のうち、少なくともいずれかの接触点
の移動に基づいて、地図を回転させて表示させる表示制御手段とを備えていることを特徴
としている。
【００１０】
上記表示装置（２）によれば、前記画面への複数の接触点のうち、少なくともいずれか
の接触点に基づいて、地図が回転させて表示される。例えば、前記画面に触れた指のいず
れかで円が描かれると、地図を回転させる。従って、使用者に使い勝手の良い、地図表示
の可能な装置を実現することができる。
【００１１】
また、本発明に係る表示装置（３）は、画像を表示する画面と、該画面への複数の接触
点を検知可能な接触検知手段と、前記接触点の移動を認識可能な認識手段と、前記複数の
接触点のうち、１つの接触点を中心として他方の接触点が回転移動したと認識された場合
、前記回転の方向に画像を回転させて表示させる表示制御手段とを備えていることを特徴
としている。
【００１２】
上記表示装置（３）によれば、前記画面への複数の接触点のうち、１つの接触点を中心
として他方の接触点が回転移動すると、その回転の方向に画像が回転させて表示される。
例えば、前記画面に親指と人差し指とが触れている時に、親指を中心に、人差し指で円が
描かれると、その回転の方向に合わせて画像を回転させることができる。従って、使用者
に使い勝手の良い、画像表示の可能な装置を実現することができる。
【００１３】
また、本発明に係る表示装置（４）は、地図を表示する画面と、該画面への複数の接触
点を検知可能な接触検知手段と、前記接触点の移動を認識可能な認識手段と、前記複数の
接触点のうち、１つの接触点を中心として他方の接触点が回転移動したと認識された場合
、前記回転の方向に地図を回転させて表示させる表示制御手段とを備えていることを特徴
としている。
【００１４】
上記表示装置（４）によれば、前記画面への複数の接触点のうち、１つの接触点を中心
として他方の接触点が回転移動すると、その回転の方向に地図が回転させて表示される。
例えば、前記画面に親指と人差し指とが触れている時に、親指を中心に、人差し指で円が
描かれると、その回転の方向に合わせて地図を回転させることができる。従って、使用者
に使い勝手の良い、地図表示の可能な装置を実現することができる。
【００１５】
また、本発明に係る表示装置（５）は、地図を表示する画面と、該画面への複数の接触
点を検知可能な接触検知手段と、前記接触点の移動を認識可能な認識手段と、前記複数の
接触点が回転移動したと認識された場合、前記回転の方向に地図を回転させて表示させる
表示制御手段とを備えていることを特徴としている。
【００１６】
上記表示装置（５）によれば、前記画面への複数の接触点が回転移動すると、その回転
の方向に地図が回転させて表示されるので、使用者に使い勝手の良い、地図表示の可能な
装置を実現することができる。
【発明を実施するための最良の形態】
【００１７】
以下、本発明に係る表示装置の実施の形態を図面に基づいて説明する。図１は、実施の
形態（１）に係る表示装置を採用したナビゲーションシステムの要部を概略的に示したブ
ロック図である。
【００１８】
車速から演算して走行距離を取得するための車速センサ２と、進行方向を取得するため
のジャイロセンサ３とがマイコン１に接続されており、マイコン１は、演算した走行距離
、及び進行方向に基づいて自車位置を割り出すようになっている（自律航法）。
【００１９】
ＧＰＳ受信機４は、アンテナ５を介して衛星からのＧＰＳ信号を受信するものであり、
マイコン１に接続されており、マイコン１は、ＧＰＳ信号に基づいて自車位置を割り出す
ようになっている（ＧＰＳ航法）。
【００２０】
また、道路データ等が記憶されたＤＶＤ−ＲＯＭ７（ＣＤ−ＲＯＭなどの大容量記憶装
置も可能）から道路データ等を取り込むことのできるＤＶＤドライブ６がマイコン１に接
続されており、マイコン１は、割り出した自車位置と道路データとを合わせる（いわゆる
、マップマッチング処理を行う）ことによって、自車位置が正確に示された地図を表示画
面９ｂ上へ表示するようになっている。
【００２１】
また、リモコン８に設けられたジョイスティック８ａやボタンスイッチ８ｂから出力さ
れたスイッチ信号や、表示装置９に設けられたボタンスイッチ９ａから出力されたスイッ
チ信号がマイコン１に入力され、これらスイッチ信号に応じた処理がマイコン１で行われ
るようになっている。例えば、マイコン１は、これらスイッチから移動目的地の情報を取
り込むと、自車位置から目的地までの最適ルートを探索し、これを誘導ルートとして地図
と共に表示画面９ｂ上に表示するようになっている。
【００２２】
このようにナビゲーション装置では、表示画面９ｂに地図が表示され、その地図上に使
用者により入力された目的地、該目的地までのルート、自車の現在位置に対応する自車位
置マーク、及びそれまでの自車の走行軌跡等が重ねて表示されるようになっており、使用
者は、この表示画面９ｂを逐次参照することで、進路情報を得ることができ、その進路情
報に従うことで目的地に到達することができるようになっている。
【００２３】
図中１０は、表示画面９ｂへの物理的な接触を検出する接触検出手段１０を示しており
、接触検出手段１０は、使用者が地図画像などの画像の拡大や縮小、回転、スクロールな
どの操作を入力するために、画像が表示された表示画面９ｂ上に接触させた指などを検出
するためのものであり、表示画面９ｂに透明なタッチパネルなどが積層されて構成されて
いる。また、接触検出手段１０で検出されたデータについては、マイコン１に入力される
ようになっている。
【００２４】
また、実施の形態（１）に係る表示装置を採用したナビゲーションシステムでは、表示
画面９ｂ上に表示された画面を通じて、使用者が各種設定を行うことができ、図２に示し
たような『拡大・縮小の設定』画面を通じて、地図画像が表示された表示画面９ｂに接触
させた２本の指を遠ざける動作をしたときに、画像を拡大させるか、又は縮小させるか、
他方、２本の指を近づける動作をしたときに、画像を縮小させるか、又は拡大させるかと
いった設定や、図３に示したような『固定点の設定（拡大・縮小）』画面を通じて、画像
を拡大したり、縮小したりするときの固定点を下記１〜４のいずれにするかといった設定
を行うことができるようになっている。
【００２５】
１  「画像の中心点」
画像の中心点とは、図４（ａ）に示したように、画像が表示画面９ｂの画面一杯に表示
されている場合には、表示画面９ｂの中心点ａと同じとなり、図４（ｂ）に示したように
、画像が表示画面９ｂ一杯に表示されていない場合には点ｂとなる。
２  「自車位置マークの表示地点」
自車位置マークの表示地点とは、図４（ａ）、図４（ｂ）に示したように、黒三角で表
されている自車位置マークＭが表示されている地点である。
【００２６】
３．１  「左端」
２本の指を表示画面９ｂに最初に接触させた点（すなわち、移動開始前の接触点）のう
ち、表示画面９ｂの左端に最も近い点であり、例えば、図５に示したように、右手の親指
と人差し指とを使って操作する場合には、親指で触れた点ｃが固定点となる。
３．２  「右端」
２本の指を表示画面９ｂに最初に接触させた点のうち、表示画面９ｂの右端に最も近い
点であり、例えば、図５に示したように、右手の親指と人差し指とを使って操作する場合
には、人差し指で触れた点ｄが固定点となる。
３．３  「上端」
２本の指を表示画面９ｂに最初に接触させた点のうち、表示画面９ｂの右端に最も近い
点であり、例えば、図５に示したように、右手の親指と人差し指とを使って操作する場合
には、人差し指で触れた点ｄが固定点となる。
３．４  「下端」
２本の指を表示画面９ｂに最初に接触させた点のうち、表示画面９ｂの右端に最も近い
点であり、例えば、図５に示したように、右手の親指と人差し指とを使って操作する場合
には、親指で触れた点ｃが固定点となる。
【００２７】
４  「２点の中間点」
２本の指を表示画面９ｂに最初に接触させた点の中間点であり、例えば、図５に示した
ように、右手の親指と人差し指とを使って操作する場合には、親指での接触点と人差し指
での接触点とを結ぶ線分の中間点ｅが固定点となる。
【００２８】
また、図６に示したような『固定点の設定（回転移動）』画面を通じて、画像を回転移
動させるとき（すなわち、画像の表示の向きを変えるとき）の固定点を下記１〜３のいず
れにするかといった設定を行うことができるようになっている。
【００２９】
１  「画像の中心点」（図４参照）
２  「自車位置マークの表示地点」（図４参照）
３  「回転軸」
回転軸として、表示画面９ｂに接触させた地点であり、例えば、図７（ａ）、（ｂ）に
示したように、右手の親指と人差し指とを使い、親指を回転軸として、人差し指を回転移
動（点ｇ→点ｇ’）させる場合には、親指での接触点ｆが固定点となる。
【００３０】
次に、実施の形態（１）に係る表示装置を採用したナビゲーションシステムにおけるマ
イコン１の行う処理動作〈１〉を図８〜図１０に示したフローチャートに基づいて説明す
る。
まず、タッチパネルへの物理的な接触があったか否か、すなわち、タッチパネルへの指
の接触があったか否かを判断し（ステップＳ１）、タッチパネルへの指の接触がないと判
断すれば、処理動作〈１〉を終了する。一方、タッチパネルへの指の接触があったと判断
すれば、タイマｔを起動させる（ステップＳ２）。
【００３１】
次にタイマｔの起動後、タッチパネルへの接触箇所が２以上あるか否かを判断し（ステ
ップＳ３）、接触箇所が２以上ない、すなわち１箇所だけであると判断すれば、接触点が
移動しているか否かを判断し（ステップＳ４）、接触点が移動している（すなわち、表示
画面９ｂ上で指を動かしている）と判断すれば、前記移動が直線移動であるか否か（すな
わち、指の動作が直線動作であるか否か）を判断し（ステップＳ５）、前記移動が直線移
動である（図１１参照）と判断すれば、その移動方向に合わせて、表示画面９ｂに表示さ
れている画像に対してスクロール処理を施す（ステップＳ６）。
【００３２】
一方、ステップＳ５における判断処理で、前記移動が直線移動でないと判断すれば、前
記移動が回転移動であるか否か（すなわち、指の動作が回転動作であるか否か）を判断し
（ステップＳ７）、前記移動が回転移動である（図１２参照）と判断すれば、回転方向が
時計回りであるか否かを判断し（ステップＳ８）、回転方向が時計回りであると判断すれ
ば、表示画面９ｂに表示されている画像に対して拡大処理を施し（ステップＳ９）、回転
方向が反時計回りであると判断すれば、表示画面９ｂに表示されている画像に対して縮小
処理を施す（ステップＳ１０）。一方、ステップＳ７における判断処理で、前記移動が回
転移動でないと判断すれば、そのまま処理動作〈１〉を終了する。
【００３３】
また、ステップＳ４における判断処理で、接触点が移動していない（すなわち、表示画
面９上で指を動かしていない）と判断すれば、タッチパネルへの接触がなくなったか否か
、すなわち、タッチパネル９ｂに接触していた指がタッチパネル９ｂから離れたか否かを
判断し（ステップＳ１１）、タッチパネルから指が離れたと判断すれば、略同一点でのタ
ッチパネルへの再接触があったか否かを判断する（ステップＳ１２）。
【００３４】
タッチパネルへの再接触がないと判断すれば、タイマｔが所定時間ｔ1（例えば、１秒
）経過しているか否かを判断し（ステップＳ１３）、タイマｔが所定時間ｔ1経過してい
る（すなわち、所定時間ｔ1内での接触回数が１回）と判断すれば、表示画面９ｂに表示
されている画像に対して縮小処理を施す（ステップＳ１４）。一方、タイマｔが所定時間
ｔ1経過していないと判断すれば、ステップＳ１２へ戻る。
【００３５】
一方、ステップＳ１２における判断処理で、タッチパネルへの物理的な再接触があった
、すなわち、所定時間ｔ1内に２回接触があった（使用者がタッチパネルへ連続的にタッ
チした）と判断すれば、表示画面９ｂに表示されている画像に対して拡大処理を施す（ス
テップＳ１５）。
【００３６】
また、ステップＳ１１における判断処理で、タッチパネルから指が離れていないと判断
すれば、タイマｔが所定時間ｔ1経過しているか否かを判断し（ステップＳ１６）、タイ
マｔが所定時間ｔ1経過していると判断すれば、表示画面９ｂに表示されている画像に対
して縮小処理を施し（ステップＳ１４）、一方、タイマｔが所定時間ｔ1経過していない
と判断すれば、ステップＳ１１へ戻る。
【００３７】
ところで、ステップＳ３における判断処理で、タッチパネルへの接触箇所が２以上ある
（すなわち、タッチパネルへ２本の指が接触している）と判断すれば、２点間の距離の変
化を算出し（ステップＳ２１）、２点間の距離が長くなっているか否かを判断し（ステッ
プＳ２２）、２点間の距離が長くなっている（すなわち、使用者によって２本の指を遠ざ
ける動作が行われている）と判断すれば、『固定点の設定（拡大・縮小）』画面（図３参
照）を通じて設定された内容に基づいて、拡大処理、又は縮小処理（後のステップＳ２４
における処理）を施すにあたっての固定点を算出する（ステップＳ２３）。
【００３８】
次に、『拡大・縮小の設定』画面（図２参照）を通じて設定された内容に基づいて、表
示画面９ｂに表示されている画像に対して、拡大処理、又は縮小処理を施す（ステップＳ
２４）。なお、このときステップＳ２３で算出した固定点を固定するようにして画像処理
を施す。
【００３９】
一方、ステップＳ２２における判断処理で、２点間の距離が長くなっていないと判断す
れば、次に２点間の距離が短くなっているか否かを判断し（ステップＳ２５）、２点間の
距離が短くなっている（すなわち、使用者によって２本の指を近づける動作が行われてい
る）と判断すれば、『固定点の設定（拡大・縮小）』画面（図３参照）を通じて設定され
た内容に基づいて、拡大処理、又は縮小処理（後のステップＳ２７における処理）を施す
にあたっての固定点を算出する（ステップＳ２６）。
【００４０】
次に、『拡大・縮小の設定』画面（図２参照）を通じて設定された内容に基づいて、表
示画面９ｂに表示されている画像に対して、拡大処理、又は縮小処理を施す（ステップＳ
２７）。なお、このときステップＳ２６で算出した固定点を固定するようにして画像処理
を施す。
【００４１】
ステップＳ２５における判断処理で、２点間の距離が短くなっていないと判断すれば、
次に一方の接触点を回転軸として、他方の接触点が回転移動しているか否かを判断し（ス
テップＳ２８）、回転移動していると判断すれば、『固定点の設定（回転移動）』画面（
図６参照）を通じて設定された内容に基づいて、回転処理（後のステップＳ３０における
処理）を施すにあたっての固定点を算出する（ステップＳ２９）。次に、算出した固定点
を固定するようにして、回転移動の向きに合わせて、表示画面９ｂに表示されている画像
の向きを変える処理を施す（ステップＳ３０）。
【００４２】
上記実施の形態（１）に係る表示装置を採用したナビゲーションシステムでは、指一本
での時計回りの回転動作が検出されると、拡大処理を施し（ステップＳ９参照）、逆に反
時計回りの回転動作が検出されると、縮小処理を施す（ステップＳ１０）ようになってい
るが、別の実施の形態では、時計回りの回転動作が検出されると、縮小処理を施し、反時
計回りの回転動作が検出されると、拡大処理を施すようにしても良い。
さらに、別の実施の形態に係る表示装置では、図１３に示したような画面を通じて、こ
れら処理を使用者が自由に選択できるようにし、マイコン１が前記画面を通じて拡大処理
や縮小処理を行うようにしても良い。
【００４３】
また、上記実施の形態（１）に係る表示装置を採用したナビゲーションシステムでは、
指一本での１タッチ動作が検出されると、縮小処理を施し（ステップＳ１４参照）、指一
本での連続タッチ動作が検出されると、拡大処理を施す（ステップＳ１５参照）ようにな
っているが、別の実施の形態では、１タッチ動作が検出されると、拡大処理を施し、連続
タッチ動作が検出されると、縮小処理を施すようにしても良い。
さらに、別の実施の形態に係る表示装置では、図１４に示したような画面を通じて、こ
れら処理を使用者が自由に選択できるようにし、マイコン１が前記画面を通じて拡大処理
や縮小処理を行うようにしても良い。
【００４４】
また、上記実施の形態（１）に係る表示装置を採用したナビゲーションシステムでは、
２本の指を遠ざける動作や、近づける動作が検出されると、拡大処理や縮小処理（ステッ
プＳ２４、Ｓ２７参照）を施すようになっているが、別の実施の形態では、２本の指に限
定せず、例えば、３本の指を遠ざける動作や、近づける動作が検出されると、拡大処理や
縮小処理を施すようにしても良い。
【００４５】
なお、３本の指が遠ざかっている（又は近づいている）か否かの判断方法としては、例
えば、３箇所の接触点から構成される３角形の重心を求めて、その重心から遠ざかる（又
は近づく）方向へ指が動いているか否かを判断する方法が挙げられる。
【００４６】
次に、実施の形態（２）に係る表示装置を採用したナビゲーションシステムについて説
明する。但し、実施の形態（２）に係る表示装置を採用したナビゲーション装置の構成に
ついては、マイコン１を除いて、図１に示したナビゲーションシステムの構成と同様であ
るため、マイコンには異なる符号を付し、その他の説明をここでは省略する。
【００４７】
実施の形態（２）に係る表示装置を採用したナビゲーションシステムにおけるマイコン
１Ａの行う処理動作〈２〉を図１５に示したフローチャートに基づいて説明する。
まず、リモコン８などを操作することによって、ナビゲーションシステムが誘導ルート
の設定モードになっているか否かを判断し（ステップＳ３１）、誘導ルートの設定モード
になっていないと判断すれば、処理動作〈２〉を終了し、誘導ルートの設定モードになっ
ていると判断すれば、タッチパネルへの物理的な接触があったか否か、すなわち、タッチ
パネルへの指の接触があったか否かを判断する（ステップＳ３２）。
【００４８】
タッチパネルへの指の接触がないと判断すれば、処理動作〈２〉を終了し、タッチパネ
ルへの指の接触があったと判断すれば、タイマｔを起動させる（ステップＳ３３）。タイ
マｔの起動後、タッチパネルへの接触がなくなったか否か、すなわち、タッチパネルに接
触していた指がタッチパネルから離れたか否かを判断し（ステップＳ３４）、タッチパネ
ルから指が離れたと判断すれば、略同一地点でのタッチパネルへの再接触があったか否か
を判断する（ステップＳ３５）。
【００４９】
タッチパネルへの再接触がないと判断すれば、タイマｔが所定時間ｔ2（例えば、１秒
）経過しているか否かを判断し（ステップＳ３６）、タイマｔが所定時間ｔ2経過してい
る（すなわち、所定時間ｔ2内での接触回数が１回）と判断すれば、そのまま処理動作〈
２〉を終了する。一方、タイマｔが所定時間ｔ2経過していないと判断すれば、ステップ
Ｓ３５へ戻る。
【００５０】
一方、ステップＳ３５における判断処理で、タッチパネルへの物理的な再接触があった
、すなわち、所定時間ｔ2内に２回接触があった（使用者がタッチパネルへ連続的にタッ
チした）と判断すれば、接触点に対応する、表示画面９ｂに表示されている地図画像の地
点を誘導ルートを算出するにあたっての目的地に設定する（ステップＳ３７）。
【００５１】
また、ステップＳ３４における判断処理で、タッチパネルから指が離れていないと判断
すれば、タイマｔが所定時間ｔ3（例えば、１秒）経過しているか否かを判断し（ステッ
プＳ３８）、タイマｔが所定時間ｔ3経過している、すなわち、タッチパネルが長く押さ
れていると判断すれば、接触点に対応する、表示画面９ｂに表示されている地図画像の地
点を誘導ルートを算出するにあたっての中継地に設定する（ステップＳ３９）。一方、タ
イマｔが所定時間ｔ3経過していないと判断すれば、ステップＳ３４へ戻る。
【００５２】
また、上記実施の形態（２）に係る表示装置を採用したナビゲーションシステムでは、
指一本での連続タッチ動作が検出されると、目的地を設定し（ステップＳ３７参照）、長
押し動作が検出されると、中継地を設定する（ステップＳ３９参照）ようになっているが
、別の実施の形態では、連続タッチ動作が検出されると、中継地を設定し、長押し動作が
検出されると、目的地を設定するようにしても良い。
さらに、別の実施の形態に係る表示装置では、図１６に示したような画面を通じて、こ
れら処理を使用者が自由に選択できるようにし、マイコン１が前記画面を通じて拡大処理
や縮小処理を行うようにしても良い。
【００５３】
次に、実施の形態（３）に係る表示装置を採用したナビゲーションシステムについて説
明する。但し、実施の形態（３）に係る表示装置を採用したナビゲーション装置の構成に
ついては、マイコン１を除いて、図１に示したナビゲーションシステムの構成と同様であ
るため、マイコンには異なる符号を付し、その他の説明をここでは省略する。
【００５４】
実施の形態（３）に係る表示装置を採用したナビゲーションシステムでは、タッチパネ
ルの操作が可能であるときに、図１７（ａ）に示したように、タッチパネルの操作を支援
するための支援画像ｐ（例えば、アイコン）が表示されるようになっているため、タッチ
パネルの操作がより使い易くなっている。
【００５５】
次に、実施の形態（３）に係る表示装置を採用したナビゲーションシステムにおけるマ
イコン１Ｂの行う処理動作〈３〉を図１８に示したフローチャートに基づいて説明する。
まず、リモコン８による操作が行われたか否かを判断し（ステップＳ４１）、リモコン
８による操作が行われたと判断すれば、図１７（ｂ）に示したような画面となるように、
支援画像ｐを画面上から消去する（ステップＳ４２）。一方、リモコン８による操作が行
われていないと判断すれば、表示装置９に装備されているボタンスイッチ９ａによる操作
が行われたか否かを判断する（ステップＳ４３）。
【００５６】
表示装置９に装備されているボタンスイッチ９ａによる操作が行われたと判断すれば、
図１７（ｂ）に示したような画面となるように、支援画像ｐを画面上から消去する（ステ
ップＳ４２）。一方、表示装置９に装備されているボタンスイッチ９ａによる操作が行わ
れていないと判断すれば、そのまま処理動作〈３〉を終了する。
【００５７】
支援画像ｐを表示画面９ｂへ表示していると、主たる画像（例えば、地図画像）を表示
するスペースが小さくなってしまうが、上記実施の形態（３）に係る表示装置を採用した
ナビゲーションシステムによれば、リモコン８による操作や、表示装置９に装備されてい
るボタンスイッチ９ａによる操作が行われる場合には、支援画面ｐを消去するので、主た
る画像（例えば、地図画像）を見易くすることができる。
【００５８】
以上、実施の形態（１）〜（３）に係る表示装置においては、ナビゲーションシステム
に採用し、地図を使用者の意思通りに拡大、縮小する場合などについて説明しているが、
別の実施の形態に係る表示装置では、ナビゲーションシステム以外のものに採用するよう
にしても良く、また地図だけでなく、文字や図などの画像の制御を行うようにしても良い
。
【図面の簡単な説明】
【００５９】
【図１】本発明の実施の形態（１）に係る表示装置を採用したナビゲーションシステムの要部を概略的に示したブロック図である。
【図２】実施の形態（１）に係る表示装置を採用したナビゲーションシステムの表示画面に表示される操作画面を示した図である。
【図３】実施の形態（１）に係る表示装置を採用したナビゲーションシステムの表示画面に表示される操作画面を示した図である。
【図４】（ａ）、（ｂ）は実施の形態（１）に係る表示装置を採用したナビゲーションシステムにおける拡大処理、縮小処理を説明するための説明図である。
【図５】実施の形態（１）に係る表示装置を採用したナビゲーションシステムにおける拡大処理、縮小処理の操作例を説明するための説明図である。
【図６】実施の形態（１）に係る表示装置を採用したナビゲーションシステムの表示画面に表示される操作画面を示した図である。
【図７】（ａ）、（ｂ）は実施の形態（１）に係る表示装置を採用したナビゲーションシステムにおける拡大処理、縮小処理の操作例を説明するための説明図である。
【図８】実施の形態（１）に係る表示装置を採用したナビゲーションシステムにおけるマイコンの行う処理動作を示したフローチャートである。
【図９】実施の形態（１）に係る表示装置を採用したナビゲーションシステムにおけるマイコンの行う処理動作を示したフローチャートである。
【図１０】実施の形態（１）に係る表示装置を採用したナビゲーションシステムにおけるマイコンの行う処理動作を示したフローチャートである。
【図１１】実施の形態（１）に係る表示装置を採用したナビゲーションシステムにおけるスクロール処理の操作例を説明するための説明図である。
【図１２】実施の形態（１）に係る表示装置を採用したナビゲーションシステムにおける拡大処理、縮小処理の操作例を説明するための説明図である。
【図１３】別の実施の形態に係る表示装置を採用したナビゲーションシステムの表示画面に表示される操作画面を示した図である。
【図１４】別の実施の形態に係る表示装置を採用したナビゲーションシステムの表示画面に表示される操作画面を示した図である。
【図１５】実施の形態（２）に係る表示装置を採用したナビゲーションシステムにおけるマイコンの行う処理動作を示したフローチャートである。
【図１６】別の実施の形態に係る表示装置を採用したナビゲーションシステムの表示画面に表示される操作画面を示した図である。
【図１７】（ａ）、（ｂ）は実施の形態（３）に係る表示装置を採用したナビゲーションシステムにおける表示処理を説明するための説明図である。
【図１８】実施の形態（３）に係る表示装置を採用したナビゲーションシステムにおけるマイコンの行う処理動作を示したフローチャートである。
【符号の説明】
【００６０】
１、１Ａ、１Ｂ  マイコン
８  リモコン
９  表示装置
９ａ  ボタンスイッチ
９ｂ  表示画面
１０  接触検出手段
【図１】
2008209915.tif 000003
【図２】
2008209915.tif 000004
【図３】
2008209915.tif 000005
【図４】
2008209915.tif 000006
【図５】
2008209915.tif 000007
【図６】
2008209915.tif 000008
【図７】
2008209915.tif 000009
【図８】
2008209915.tif 000010
【図９】
2008209915.tif 000011
【図１０】
2008209915.tif 000012
【図１１】
2008209915.tif 000013
【図１２】
2008209915.tif 000014
【図１３】
2008209915.tif 000015
【図１４】
2008209915.tif 000016
【図１５】
2008209915.tif 000017
【図１６】
2008209915.tif 000018
【図１７】
2008209915.tif 000019
【図１８】
2008209915.tif 000020